(57)【特許請求の範囲】
【請求項１】
オンフックダイヤルキーを含むキーの信号を入力するキー入力手段と、
商用交流電源によって電力付勢され、前記キー入力手段からの出力信号に応答して回線にダイヤル信号を送出するとともに、フックスイッチ信号を出力するダイヤラ手段と、
前記回線を開放するオンフック状態と、前記回線を閉結するオンフック状態とを選択的に設定するフックスイッチと、
オンフックダイヤルキーの操作に応答して前記回線を閉結するスイッチ回路と、
前記スイッチ回路によって前記回線が閉結したときに、前記ダイヤラ回路に前記回線からの電力を供給する電力供給手段と、
前記キー入力手段からのオンフックダイヤルキー信号と、前記ダイヤラ手段からのフックスイッチ信号とに応じて、前記スイッチ回路による前記回線の閉結を制御する制御信号を出力する回線制御手段と、
を含み、
停電時に前記オンフック状態でダイヤル発信する際に、前記オンフックダイヤルキーの操作によって出力する前記回線制御手段からの制御信号に応じて前記スイッチ回路が前記回線を閉結し、前記回線からの電力によって、前記ダイヤラ回路を電力付勢することを特徴とする電話機。
【発明の詳細な説明】
【０００１】
【産業上の利用分野】
本発明は、停電時においても動作可能な電話機の改良に関する。
【０００２】
【従来の技術】
典型的な従来技術は、図７に示される。
電話機１は、キー入力手段２から入力信号に応答して動作する制御回路３を含んで構成される。制御回路３には、電源回路４およびダイオード５を介して商用交流電源６からの電力が供給される。この制御回路３は、１つのＩＣから構成され、キー入力手段２から入力信号に応答したダイヤル信号を発生するダイヤラ回路７を内蔵している。
【０００３】
前記制御回路３は、正常時には、商用交流電源６によって電力付勢されており、キー入力手段２からの信号に応答可能な待機状態に保持されている。この待機状態では、キー入力手段２で任意のキーの押下に応答して前記ダイヤラ回路７からダイヤル信号が送出されると、このダイヤラ信号に応答して前記トランジスタ１２が制御され、これに応答してダイヤルパルススイッチとして機能するトランジスタ１１が動作し、前記ダイヤル信号が前記回線Ｌ１を介して電話局に送出される。
【０００４】
一方、停電時には、前記制御回路３には商用交流電源６から電力付勢されない。そこで、使用者が電話を掛けようとしてハンドセット（図示せず）を持ち上げてオフフック状態とすると、フックスイッチ１０がオンし、これに応答してトランジスタ１２、１３がともにオン状態となる。これによって、前記制御回路３には、前記抵抗１５およびダイオード１６を介して前記回線Ｌ１からの電力が供給され、この制御回路３は待機状態となる。
【０００５】
このような構成の電話機１では、ハンドセットを置いた状態（オンフック状態）においてフックスイッチ１０はオフ状態であり、回線Ｌ１からの電力が前記制御回路３に供給されることはない。したがって、停電時にオンフック状態で、キー入力手段２を操作しても制御回路３は動作せず、ダイヤル発信を行うことができない。そこで、停電時にも対応できるように、図８に示されるように、前記電話機１の構成に別のＩＣからなる停電用ダイヤラ回路２２を別途取り付けた電話機２１が提案されている。
【０００６】
図８を参照して電話機２１の構成について説明する。なお、図７に示される電話機１と同一の構成には同一の参照符を付す。
前記停電用ダイヤラ回路２２には、抵抗２３およびダイオード２４を介して回線Ｌ１からの電力供給が可能となっている。なお、この停電用ダイヤラ回路２２は、待機状態では、１μＡ以下でも動作可能な回路構成となっている。前記抵抗２３の抵抗値は、回線Ｌ１の規格により、１ＭΩ以上の大きさに設定することが要求されている。したがって、前記抵抗２３に流すことができる電流は、数十μＡ程度となる。たとえば、前記回線Ｌ１の電圧が４８Ｖで、前記抵抗２３の抵抗値が１ＭΩとすれば、抵抗２３に流れる電流は４８μＡ程度となり、前記ダイヤラ回路２２が十分動作可能な電流となる。
【０００７】
一方、前記制御回路３は、常時、待機状態にあるので、２００〜３００μＡ以上の動作電流が必要となる。したがって、この制御回路３は、前記抵抗２３を介して回線Ｌ１から供給される電源電圧によっては動作しないので、前記制御回路３を回線Ｌ１に接続することはできない。
前記ダイヤラ回路２２には、正常時は、商用交流電源６からの電源回路４を介して約５Ｖ程度の電源電圧が供給される。一方、前記抵抗２３の抵抗値は前述したように１ＭΩ以上に設定されるので、抵抗２３とダイオード２４との接続点Ａの電圧は、ダイオード２６と前記ダイヤラ回路２２との接続点Ｂの電圧より大きくなり、回線Ｌ１からの電圧が前記ダイヤラ回路２２に供給されることはない。
【０００８】
このような構成の電話機２１では、停電時でも、前記ダイヤラ回路２２には前記抵抗２３を介して回線Ｌ１から電源が供給されるので、キー入力手段２からの信号に対して待機状態となる。したがって、オンフック状態でも、キー入力手段２を操作してダイヤル発信を行うことができる。
【０００９】
【発明が解決しようとする課題】
このような電話機２１では、停電時でもオンフック状態でダイヤル発信を行うことができるけれども、このために別途、もう１つのＩＣからなる停電時専用のダイヤラ回路２２を設ける必要があり、このダイヤラ回路２２に関連した他の構成も含め、電話機自体の部品点数が増大するという問題があった。
【００１０】
そこで、本発明の目的は、上記課題を解決し、部品点数を低減し、かつ停電時に、オンフック状態においてもダイヤル発信可能な電話機を提供することである。
【００１１】
【課題を解決するための手段】
本発明は、オンフックダイヤルキーを含むキーの信号を入力するキー入力手段と、商用交流電源によって電力付勢され、前記キー入力手段からの出力信号に応答して回線にダイヤル信号を送出するとともに、フックスイッチ信号を出力するダイヤラ手段と、前記回線を開放するオンフック状態と、前記回線を閉結するオンフック状態とを選択的に設定するフックスイッチと、オンフックダイヤルキーの操作に応答して前記回線を閉結するスイッチ回路と、前記スイッチ回路によって前記回線が閉結したときに、前記ダイヤラ回路に前記回線からの電力を供給する電力供給手段と、前記キー入力手段からのオンフックダイヤルキー信号と、前記ダイヤラ手段からのフックスイッチ信号とに応じて、前記スイッチ回路による前記回線の閉結を制御する制御信号を出力する回線制御手段と、を含み、停電時に前記オンフック状態でダイヤル発信する際に、前記オンフックダイヤルキーの操作によって出力する前記回線制御手段からの制御信号に応じて前記スイッチ回路が前記回線を閉結し、前記回線からの電力によって、前記ダイヤラ回路を電力付勢することを特徴とする電話機である。
【００１２】
【作用】
本発明に従えば、ダイヤラ回路は、正常時には、商用交流電源によって電力付勢され、キー入力手段からの入力信号に応答して回線にダイヤル信号を送出するこができる。一方、停電時には、前記ダイヤル回路は、商用交流電源によって電力付勢されないので、このままでは動作しない。また、オンフック状態では前記回線は開放されており、この状態で回線からの電力を利用することはできない。
【００１３】
そこで、停電時にオンフック状態でダイヤル発信する際に、所定のスイッチを操作すると、これにスイッチ回路が応答して前記回線を閉結する。これによって、前記回線からの電力が電力供給手段を介して前記ダイヤラ回路に供給され、このダイヤラ回路が電力付勢される。したがって、停電時にオンフック状態でも、ダイヤラ回路は、キー入力手段からの入力信号に応答して回線にダイヤル信号を送出する
【００１４】
【実施例】
図１は、本発明の一実施例の電気的構成を示すブロック図である。電話機３１は、キー入力手段３２から入力信号に応答して動作する制御回路３３を含んで構成される。制御回路３３の電源入力端子ＶDDには、電源回路３４およびダイオード３５を介して商用交流電源３６が接続される。前記制御回路３３は、１つのＩＣから構成され、キー入力手段３２から入力信号に応答したダイヤル信号を発生するダイヤラ回路３７を内蔵している。このダイヤラ回路３７は、抵抗５５、３８およびフックスイッチ３９を介して回線Ｌ１に接続される。前記回線Ｌ１には、ダイヤルパルススイッチとして機能するトランジスタ４１が接続され、前記ダイヤラ回路３７からのダイヤル信号に応答してスイッチング動作を行うスイッチングトランジスタ４２が抵抗４３を介して前記トランジスタ４１のベースに接続される。
【００１５】
一方、前記回線Ｌ１は、抵抗５１、ダイオード５２、トランジスタ５３、および抵抗５４を介して前記トランジスタ４２のベースに接続される。前記キー入力手段３２には、オフフックダイヤルキー（以下、ＯＨＤキーという）５６に応答して動作するデコーダ５０が設けられ、このデコーダ５０からの出力によって前記トランジスタ５３がオン・オフ制御される。なお、前記デコーダ５０には、前記抵抗５１およびダイオード５２を介し回線Ｌ１からの電源電圧が与えられている。また、前記回線Ｌ１は、抵抗４５およびダイオード４６を介して前記制御回路３３の電源入力端子ＶDDに接続される。
【００１６】
制御回路３３は、正常時には、商用交流電源３６によって電力付勢されており、
キー入力手段３２からの信号に応答可能な待機状態に保持されている。この待機状態で、キー入力手段２において、任意の電話番号を押下すると、これに応答して前記ダイヤラ回路３７からダイヤル信号が送出される。このダイヤル信号に応答して前記トランジスタ４２が動作し、これに応答してトランジスタ４１がオン・オフ制御され、前記ダイヤル信号が前記回線Ｌ１を介して電話局に送出される。
【００１７】
一方、停電時には、前記制御回路３３は商用交流電源３６によって電力付勢されないので、このままでは動作しなくなる。しかしながら、使用者が電話を掛けようとしてハンドセット（図示せず）を持ち上げてオフフック状態とすると、フックスイッチ３９がオンし、これに応答してトランジスタ３２、３３がともにオンして、回線Ｌ１が閉結される。これによって、前記制御回路３３には、前記抵抗４５およびダイオード４６を介して前記回線Ｌ１からの電力が供給され、制御回路３３を待機状態とすることができる。このように前記抵抗４５およびダイオード４６を含んで前記制御回路３３への電力供給手段が構成される。
【００１８】
なお、前記抵抗４５の抵抗値は、抵抗４５・ダイオード４６間の電圧が２〜３Ｖになるように設定されている。一方、正常状態では、電源回路３４から供給される電圧は、５Ｖ程度に設定される。したがって、正常時にダイオード３５を介して制御回路３３に電力供給されているときに、前記トランジスタ４１がオンしても、抵抗４５・ダイオード４６間の電圧がこのダイオード４６のカソード側の電圧より高くなることはないので、前記回線Ｌ１からの電圧が制御回路３に供給されることはない。
【００１９】
次に、停電時にオンフック状態でこの電話機３１を操作する場合について説明する。
まず、この状態では、フックスイッチ３９はオフ状態であり、回線Ｌ１は開放状態に保たれている。したがって、前記制御回路３３には回線Ｌ１からは電力は供給されない。一方、停電時には、前記制御回路３３には電源回路３４からの電力供給もないので、この制御回路３３は動作せず、待機状態とはならない。
【００２０】
そこで、この状態で、キー入力手段３２の前記ＯＨＤキー５６を押下することによって、前記制御回路３３を待機状態にすることができる。すなわち、ＯＨＤキー５６が押下されると、デコーダ５０を介してトランジスタ５３がオンし、回線Ｌ１からの電源電圧が前記抵抗５１、ダイオード５２、トランジスタ５３、および抵抗５４を介して前記トランジスタ４２のベースに与えられる。これによって、トランジスタ４２、４１がともにオンし、回線Ｌ１が閉結される。したがって、前記制御回路３３には、前記抵抗４５およびダイオード４６を介して前記回線Ｌ１からの電力が供給され、この制御回路３３は待機状態となる。
【００２１】
前記デコーダ５０は、図２に示されるように、ＮＯＲゲートＧ１およびＮＡＮＤゲートＧ２から構成される。前記キー入力手段３２の前記ＯＨＤキー５６には、Ｌレベルに保持されているラインＡおよびＨレベルに保持されているラインＢが接続されており、このラインＡ、Ｂは前記ゲートＧ１の入力となっている。
また、前記制御回路３３内には、回線開放回路６１が設けられる。この回線開放回路６１は、電源６２と接地ラインとの間に設けられた抵抗６３およびトランジスタ６４を含んで構成され、前記抵抗６３・トランジスタ６４間からフックスイッチ信号が導出される。トランジスタ６４は、通常、オフ状態に設定されており、フックスイッチ信号は、Ｈレベルに設定される。
【００２２】
前記ゲートＧ２には、ゲートＧ１の出力および前記回線開放回路６１からの前記フックスイッチ信号が与えられ、このゲートＧ２の出力が前記トランジスタ５３に与えられる。
なお、前記キー入力手段３２において前記ラインＢをＨレベルに保持している電源６５および前記回線開放回路６１の電源６２はともに、前記ダイオード５２・トランジスタ５３間の接続点Ｄに接続されており（図示せず）、前述したデコーダ５０とともに回線Ｌ１からの電力が供給されている。したがって、前記キー入力手段３２、前記デコーダ５０、および前記回線開放回路６１は、別途、充電回路、電池等のバックアップ電源を設けることなく、停電時でも動作可能な状態に保持することができる。
【００２３】
このような構成において、オンフック状態では、前記ＯＨＤキー５６が押下されないと、前記ラインＡはＬレベルであり、ラインＢがＨレベルであるので、ゲートＧ１の出力はＬレベルとなる。一方、前記フックスイッチ信号はＨレベルであり、ゲートＧ１の出力はＬレベルであるので、ゲートＧ２の出力はＨレベルとなり、トランジスタ５３はオフ状態となる。したがって、この状態では、回線Ｌ１は開放状態に保持されている。
【００２４】
図３は、停電時にオンフック状態における電話機３１の動作を説明するためのフローチャートである。
ステップＳ１において、前記ＯＨＤキー５６が押下されると、前記ラインＢがＬレベルになるので、ゲートＧ１の出力がＨレベルとなる。このとき、前記スイッチング信号は、Ｈレベルに保持されているので、ゲートＧ２出力はＬレベルとなる（ステップＳ２）。
【００２５】
これによって、ステップＳ３では、前記トランジスタ５３がオン状態となり、前記トランジスタ４２、４１を介して回線Ｌ１が閉結される。
ステップＳ４では、閉結された回線Ｌ１から前記抵抗４５およびダイオード４６を介して前記制御回路３３に電力供給され、この制御回路３３が動作し、待機状態となる。
【００２６】
図４は、制御回路３３が待機状態になった後の動作を説明するためのフローチャートである。
前述したようにＯＨＤキー５６押下によって前記制御回路３３が動作状態となると（ステップＳ１０）、制御回路３３は、ダイヤラ回路３７からＨレベルのダイヤル信号を送出して、回線Ｌ１を閉結状態に保持する（ステップＳ１１）。
【００２７】
ステップＳ１２では、制御回路３３が前記トランジスタ６４をオン状態として前記フックスイッチ信号をＬレベルに設定する。これによって、前記トランジスタ５３による回線閉結を中止する（ステップＳ１３）。このように前記フックスイッチ信号をＬレベルに設定しておけば、該電話機３１の動作はデコーダ５０、トランジスタ５３等に影響されることはなく、誤動作を防止できる。
【００２８】
ステップＳ１４では、通常の処理動作が行われる。すなわち、キー入力手段３２において任意の電話番号を入力することにより、ダイヤル発信が行われる。
電話終了時には、ステップＳ１５においてダイヤラ回路３７からＬレベルのダイヤル信号を導出することにより回線Ｌ１を開放する。
上記実施例では、デコーダ５０を２つのゲートＧ１，Ｇ２から構成したが、図５に示すように前記ゲートＧ１と前記トランジスタ５３との間にＴ型フリップフロップ７０を設ける構成としてもよい。なお、図５において他の構成は第１の実施例と同様であり、対応する構成には同一の参照符を付す。この実施例では、ゲートＧ１の出力がＴ型フリップフロップ７０のクロック入力となり、Ｑ出力が前記トランジスタ５３に与えられる。
【００２９】
次に、図６を参照して、動作について説明する。
ステップＳ３１で、ＯＨＤキー５６を押下すると、ゲートＧ１の出力がＨレベルとなり、これに応答してＱ出力がＬレベルとなり、トランジスタ５３がオンして、回線Ｌ１が閉結する（ステップＳ３２）。なお、前記Ｔ型フリップフロップ７０のＱ出力は、再度クロックが入力されない限り、Ｌレベルを保持し続ける。
【００３０】
回線Ｌ１が閉結すると、ステップＳ３３で制御回路３３が動作する。ステップＳ３４では、通常のダイヤル発信動作が行われ、通話が行われる。
通話終了時には、ステップＳ３５で再度ＯＨＤキー５６が押下される。これによって、ゲートＧ１の出力がＨレベルとなり、これに応答してＱ出力がＨレベルとなり、トランジスタ５３がオフして、回線Ｌ１が開放する（ステップＳ３６）。
【００３１】
このようにデコーダ５０等を設けてＯＨＤキー５６の押下動作によって、停電時にオンフック状態でも、制御回路３３内に内蔵されたダイヤラ回路３７を待機状態とすることができるので、従来技術の項で述べたような停電時専用のＩＣ等を別途設ける必要はなく、全体の構成を簡略化することができる。
前記デコーダ５０は、簡単な外付け部品で構成してもよく、また、前記制御回路３３等を構成するＩＣ内に内蔵することもできる。また、ＯＨＤキー５６に代えて、前記キー入力手段３２以外に、別途、スイッチを設け、これを操作することによって前記デコーダ５０を制御するようにしてもよい。
【００３２】
【発明の効果】
以上のように本発明に従えば、正常に商用交流電源によって動作するダイヤル回路を、回線からの電力を利用して停電時にも動作させることができる。別途、停電時専用のダイヤラ回路を設けることなく、停電時でも、キー入力手段からの入力信号に応答して回線にダイヤル信号を送出することができ、電話機の部品点数の削減をはかることができる。
【図面の簡単な説明】
【図１】  図１は本発明の一実施例の電気的構成を示すブロック図
【図２】  図２はデコーダ５０周辺の構成を示すブロック図
【図３】  図３は回線閉結動作を説明するためのフローチャート
【図４】  図４は回線開放動作を説明するためのフローチャート
【図５】  図５は本発明の第２の実施例の電気的構成を示すブロック図
【図６】  図６は第２の実施例の動作を説明するためのフローチャート
【図７】  図７は従来技術の電気的構成を示すブロック図
【図８】  図８は他の従来技術の電気的構成を示すブロック図
【符号の説明】
３２  ・・・キー入力手段
３３  ・・・制御回路
３６  ・・・商用交流電源
３７  ・・・ダイヤラ回路
３９  ・・・フックスイッチ
４１，４２，５３・・・トランジスタ
５０  ・・・デコーダ
５６  ・・・ＯＨＤキー
【図１】
0003678772.tif 000002
【図２】
0003678772.tif 000003
【図３】
0003678772.tif 000004
【図４】
0003678772.tif 000005
【図５】
0003678772.tif 000006
【図６】
0003678772.tif 000007
【図７】
0003678772.tif 000008
【図８】
0003678772.tif 000009